(57)【要約】【課題】  より正確に楽曲データの同一性の判別を行うこと等が可能な楽曲同一性判別装置及び方法等を提供する。【解決手段】  楽曲データの同一性の有無を判別する楽曲同一性判別装置であって、再生された第１楽曲データから当該第１楽曲データの特徴を示す第１楽曲特徴量を抽出する楽曲特徴量抽出手段と、前記抽出された第１楽曲特徴量を取得する第１楽曲特徴量取得手段と、記録媒体に記録されている第２楽曲データの特徴を示す第２楽曲特徴量を取得する第２楽曲特徴量取得手段と、前記第１楽曲特徴量と前記第２楽曲特徴量を比較し、前記第１楽曲データと前記第２楽曲データとの同一性の有無を判別する楽曲同一性有無判別手段と、を備える。【選択図】  図１
2007304119.tif 000002
【特許請求の範囲】
【請求項１】
楽曲データの同一性の有無を判別する楽曲同一性判別装置であって、
再生された第１楽曲データから当該第１楽曲データの特徴を示す第１楽曲特徴量を抽出する楽曲特徴量抽出手段と、
前記抽出された第１楽曲特徴量を取得する第１楽曲特徴量取得手段と、
記録媒体に記録されている第２楽曲データの特徴を示す第２楽曲特徴量を取得する第２楽曲特徴量取得手段と、
前記第１楽曲特徴量と前記第２楽曲特徴量を比較し、前記第１楽曲データと前記第２楽曲データとの同一性の有無を判別する楽曲同一性有無判別手段と、を備えることを特徴とする楽曲同一性判別装置。
【請求項２】
請求項１に記載の楽曲同一性判別装置において、
前記楽曲特徴量には、前記楽曲のキー、ビート、及びコードに関する量の少なくとも何れか一つが含まれており、
前記楽曲同一性有無判別手段は、前記楽曲のキー、ビート、及びコードに関する量の少なくとも何れか一つが一致する場合に前記第１楽曲と前記第２楽曲との同一性が有と判別することを特徴とする楽曲同一性判別装置。
【請求項３】
請求項１又は２に記載の楽曲同一性判別装置において、
前記再生された第１楽曲データを記録媒体に記録させる楽曲記録手段と、
当該第１楽曲データに、前記抽出された第１楽曲特徴量を関連付けて記憶させる楽曲特徴量記憶手段と、を更に備えることを特徴とする楽曲同一性判別装置。
【請求項４】
請求項１又は２に記載の楽曲同一性判別装置において、
前記再生された第１楽曲データを記録媒体に記録させる楽曲記録手段と、
前記楽曲同一性有無判別手段により同一性が有と判別された場合には、前記第１楽曲データと前記第２楽曲データとが同一性が有ることを示す楽曲同一性情報を記憶させる楽曲同一性情報記憶手段と、を更に備えることを特徴とする楽曲同一性判別装置。
【請求項５】
請求項４に記載の楽曲同一性判別装置において、
前記記録媒体に記録されている複数の楽曲データのうち再生すべき楽曲データと同一性の有る楽曲データが当該記録媒体に記録されているか否かを前記楽曲同一性情報に基づいて判別する楽曲記録判別手段を更に備えることを特徴とする楽曲同一性判別装置。
【請求項６】
請求項５に記載の楽曲同一性判別装置において、
前記楽曲記録判別手段により前記同一性の有る楽曲データが前記記録媒体に記録されていると判別された場合に、当該同一性の有る楽曲データが既に再生されているとき、前記再生すべき楽曲データをスキップさせる楽曲スキップ手段を更に備えることを特徴とする楽曲同一性判別装置。
【請求項７】
請求項４に記載の楽曲同一性判別装置であって、
前記楽曲同一性情報に基づいて、同一性のある複数の楽曲データを示す情報を選択可能にユーザに提示すると共に、当該ユーザにより選択された楽曲データを示す情報に対応する楽曲データを前記記録媒体から消去させる楽曲消去手段を更に備えることを特徴とする楽曲同一性判別装置。
【請求項８】
請求項１又は２に記載の楽曲同一性判別装置において、
前記再生された第１楽曲データを記録媒体に記録させる楽曲記録手段と、
前記楽曲同一性有無判別手段により同一性が有と判別された場合には、前記記録された第１楽曲データを前記記録媒体から消去させる楽曲消去手段と、を更に備えることを特徴とする楽曲同一性判別装置。
【請求項９】
情報を再生する情報再生装置であって、
第１楽曲データを再生する再生手段と、
請求項１又は２に記載の楽曲同一性判別装置と、を備えることを特徴とする情報再生装置。
【請求項１０】
情報を記録する情報記録装置であって、
請求項１乃至８の何れか一項に記載の楽曲同一性判別装置を備えることを特徴とする情報記録装置。
【請求項１１】
楽曲データの同一性の有無を判別する楽曲同一性判別方法であって、
再生された第１楽曲データから当該第１楽曲データの特徴を示す第１楽曲特徴量を抽出する工程と、
前記抽出された第１楽曲特徴量を取得する工程と、
記録媒体に記録されている第２楽曲データの特徴を示す第２楽曲特徴量を取得する工程と、
前記第１楽曲特徴量と前記第２楽曲特徴量を比較し、前記第１楽曲データと前記第２楽曲データとの同一性の有無を判別する工程と、を備えることを特徴とする楽曲同一性判別方法。
【請求項１２】
楽曲データの同一性の有無を判別するコンピュータを、
再生された第１楽曲データから当該第１楽曲データの特徴を示す第１楽曲特徴量を抽出する楽曲特徴量抽出手段、
前記抽出された第１楽曲特徴量を取得する第１楽曲特徴量取得手段、
記録媒体に記録されている第２楽曲データの特徴を示す第２楽曲特徴量を取得する第２楽曲特徴量取得手段、及び、
前記第１楽曲特徴量と前記第２楽曲特徴量を比較し、前記第１楽曲データと前記第２楽曲データとの同一性の有無を判別する楽曲同一性有無判別手段、として機能させることを特徴とする楽曲同一性判別処理プログラム。
【請求項１３】
請求項１２に記載の楽曲同一性判別処理プログラムがコンピュータ読み取り可能に記録されていることを特徴とする記録媒体。
【発明の詳細な説明】
【技術分野】
【０００１】
本発明は、楽曲データの同一性の有無を判別する楽曲同一性判別装置及び方法等の技術分野に関する。
【背景技術】
【０００２】
ＣＤ（Compact Disc）やＭＤ(Mini Disc)等の記録媒体には、楽曲データを含む記録情報の他に、ＴＯＣ（Table Of Contents）情報が記録されている。このＴＯＣ情報には、周知の如く、楽曲毎の記録媒体上での開始位置と最終楽曲の終了位置の絶対時間等が含まれている。
【０００３】
従来の情報再生記録装置おいては、このＴＯＣ情報を利用して、種々の情報を検索するなどの処理が行われていた。例えば、特許文献１には、ＣＤに記録された楽曲データをＨＤ（Hard Disc）に記録（コピー）するとき、２重コピーを防止することが可能な装置が開示されている。かかる装置では、ＣＤに記録された楽曲データと同じ楽曲データが既にＨＤに記録されているか否かを検索するに当たって、それぞれのディスクに記録された楽曲データに対応するＴＯＣ情報を比較することが行われていた。この比較結果、ＴＯＣ情報が一致する場合には、かかる装置は、ＣＤに記録された楽曲データとＨＤに記録された楽曲データが同一性があると判別し、ＣＤから再生された楽曲データをＨＤに記録しないように制御していた。
【０００４】
また、従来から、上記ＴＯＣ情報と楽曲のタイトル等が関連付けられて記憶されたＣＤＤＢと呼ばれるデータベース（例えばインターネット上におけるサーバに設けられている）が知られており、かかるＣＤＤＢが利用されＴＯＣ情報から楽曲のタイトル等の情報が取得された上で、取得されたタイトル等に基づいて楽曲データの同一性の判別も行われている。
【０００５】
一方、ＣＤテキストと呼ばれる記録媒体には、ＴＯＣ情報ばかりでなく楽曲のタイトル等の情報も記録媒体に記録されているので、かかるタイトル等の情報を取得すれば、ＴＯＣ情報を利用しなくても、かかるタイトル等の情報に基づいて楽曲データの同一性の判別を行うことができる。
【特許文献１】特開２００１−１８９０４８号公報
【発明の開示】
【発明が解決しようとする課題】
【０００６】
しかしながら、ＴＯＣ情報は、各楽曲の開始位置の絶対時間の情報であるため、異なる楽曲データであっても、同一のＴＯＣ情報となる場合がある。このため、楽曲データの同一性の判別が正確に行われないという問題があった。特に、ＣＤに記録された楽曲データの数が少なければ、その傾向が顕著となる。
【０００７】
また、記録媒体の中には、ＴＯＣ情報や楽曲のタイトル等の情報を利用できないもの、例えば、ＴＯＣ情報や楽曲のタイトル等が記録されていない記録媒体も存在する。
【０００８】
そこで、このような問題の解消を一つの課題とし、より正確に楽曲データの同一性の判別を行うこと等が可能な楽曲同一性判別装置及び方法等を提供することを目的する。
【課題を解決するための手段】
【０００９】
上記課題を解決するため、請求項１に記載の発明は、楽曲データの同一性の有無を判別する楽曲同一性判別装置であって、再生された第１楽曲データから当該第１楽曲データの特徴を示す第１楽曲特徴量を抽出する楽曲特徴量抽出手段と、前記抽出された第１楽曲特徴量を取得する第１楽曲特徴量取得手段と、記録媒体に記録されている第２楽曲データの特徴を示す第２楽曲特徴量を取得する第２楽曲特徴量取得手段と、前記第１楽曲特徴量と前記第２楽曲特徴量を比較し、前記第１楽曲データと前記第２楽曲データとの同一性の有無を判別する楽曲同一性有無判別手段と、を備えることを特徴とする。
【００１０】
また、請求項９に記載の発明は、情報を再生する情報再生装置であって、第１楽曲データを再生する再生手段と、請求項１又は２に記載の楽曲同一性判別装置と、を備えることを特徴とする。
【００１１】
また、請求項１０に記載の発明は、情報を記録する情報記録装置であって、請求項１乃至８の何れか一項に記載の楽曲同一性判別装置を備えることを特徴とする。
【００１２】
また、請求項１１に記載の発明は、楽曲データの同一性の有無を判別する楽曲同一性判別方法であって、再生された第１楽曲データから当該第１楽曲データの特徴を示す第１楽曲特徴量を抽出する工程と、前記抽出された第１楽曲特徴量を取得する工程と、記録媒体に記録されている第２楽曲データの特徴を示す第２楽曲特徴量を取得する工程と、前記第１楽曲特徴量と前記第２楽曲特徴量を比較し、前記第１楽曲データと前記第２楽曲データとの同一性の有無を判別する工程と、を備えることを特徴とする。
【００１３】
また、請求項１２に記載の発明は、楽曲データの同一性の有無を判別するコンピュータを、再生された第１楽曲データから当該第１楽曲データの特徴を示す第１楽曲特徴量を抽出する楽曲特徴量抽出手段、前記抽出された第１楽曲特徴量を取得する第１楽曲特徴量取得手段、記録媒体に記録されている第２楽曲データの特徴を示す第２楽曲特徴量を取得する第２楽曲特徴量取得手段、及び、前記第１楽曲特徴量と前記第２楽曲特徴量を比較し、前記第１楽曲データと前記第２楽曲データとの同一性の有無を判別する楽曲同一性有無判別手段、として機能させることを特徴とする。
【００１４】
また、請求項１３に記載の発明は、請求項１２に記載の楽曲同一性判別処理プログラムがコンピュータ読み取り可能に記録されていることを特徴とする。
【発明を実施するための最良の形態】
【００１５】
以下、本願の最良の実施形態を添付図面に基づいて説明する。なお、以下に説明する実施の形態は、情報再生記録装置に対して本願の楽曲同一性判別装置及び方法等を適用した場合の実施形態である。
【００１６】
先ず、図１を参照して、本実施形態における情報再生記録装置の構成及び機能を説明する。図１は、本実施形態における情報再生記録装置の概要ブロック例を示す図である。
【００１７】
図１に示すように、情報再生記録装置１は、情報再生部１１、情報出力部１２、楽曲特徴量抽出部１３、情報記録再生部１４、操作部１５、表示部１６、及びシステム制御部１７を備えて構成されている。
【００１８】
情報再生部１１は、システム制御部１７の制御下、磁気テープ、ＣＤ（Compact Disc：ＣＤ−ＤＡ（Digital Audio）、ＣＤ−Ｒ、ＣＤ−Ｒ／Ｗ等の総称）、ＭＤ（Mini Disc）、ＤＶＤ（Digital Versatile Disc：ＤＶＤ−Audio、ＤＶＤ−Video、ＤＶＤ−Ｒ、ＤＶＤ−Ｒ／Ｗ等の総称）、又はカード型記録媒体（例えば、メモリースティック）等の記録媒体に記録された楽曲データを再生し、当該楽曲データを情報出力部１２、楽曲特徴量抽出部１３、及び情報記録再生部１４に出力するようになっている。例えば、情報再生部１１がＣＤ（例えば、ＣＤ−ＤＡ）に記録された楽曲データを再生するものである場合、当該情報再生部１１は、図示しないが、当該ＣＤに光ビームを照射して記録情報を光学的に読み取り電気信号に光電変換し出力する光ピックアップ、当該光ピックアップから出力された電気信号からＲＦ（Radio Frequency）信号等を生成して出力するＲＦアンプ、当該ＲＦ信号に所定の復調処理及び誤り訂正処理等を行いデジタル信号に変換して楽曲データを再生するデジタル信号処理回路（例えばＤＳＰ（Digital Signal Processor）により構成）、及び、スピンドルモータ及び光ピックアップをサーボ制御するサーボ回路等を備え、当該楽曲データの再生、出力を行う。なお、ＣＤ以外の記録媒体から楽曲データを再生するための構成及び機能については公知の技術であるので、詳しい説明は省略する。また、マルチメディアプレーヤのように、複数の記録媒体から楽曲データを再生するように構成してもよい。
【００１９】
情報出力部１２は、図示しないが、情報再生部１１により再生出力された楽曲データ（デジタル音声信号）を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力するスピーカ等を備えており、楽曲をスピーカから出力するようになっている。
【００２０】
楽曲特徴量抽出部１３は、例えばＤＳＰ等により構成されており、楽曲特徴量抽出手段として、情報再生部１１により再生出力された楽曲データを入力し、当該楽曲データから当該楽曲データの特徴を示す楽曲特徴量を抽出し、情報記録再生部１４及びシステム制御部１７に出力するようになっている。
【００２１】
ここで、楽曲特徴量とは、その楽曲の特徴を定量的に示す情報であり、これには、例えば、楽曲の演奏時間、楽曲の楽音から得られる楽音特徴量などが含まれる。
【００２２】
楽音特徴量としては、キー（ハ長調、イ短調等の曲の調性）、当該キーに関する量としてのキーの変化位置（又は変化パターン）、コード（和音、又は和音の組合せ）、当該コードに関する量としてのコードの変化位置（又は変化パターン）、ビート（拍：強弱を持った一定のパルス信号）、当該ビートに関する量としてのビートの変化位置（又は変化パターン）やビートの最大値（又は、最小値、平均値）、音量、当該音量に関する量としての音量の変化位置（又は変化パターン）などが挙げられる。
【００２３】
これらの楽音特徴量の抽出には、公知の様々な方法を適用可能であるので、詳しい説明を省略するが、例えば、楽曲特徴量抽出部１３が、楽曲データを高速フーリエ変換（Fast Fourier Transform）して周波数分析を行い時間軸に沿った所定の時間間隔で周波数毎の音量値を算出してキー及びこれに関する量、コード及びこれに関する量の抽出を行ったり、所定のスレッショルドレベルにて楽曲データに係る波形のエンベロープを検出することによりビート及びこれに関する量の抽出を行う。
【００２４】
なお、以上の楽曲特徴量の他にも、楽曲特徴量抽出部１３が、例えば楽曲のテンポ、リズム、更には、楽曲のサビ部分の位置や回数、サビ部分のキー、ビート、コード、及びこれらに関する量を公知の方法により抽出するように構成してもよい。また、楽曲特徴量として、楽曲の歌詞の中に現れる楽曲の性格、印象、及び雰囲気を左右するような言葉等の歌詞特徴量（例えば、「心温まる」、「悲しい」、「恋愛」、「明るい」、「勇気づけられる」）という言葉を抽出するように構成してもよい。
【００２５】
情報記録再生部１４は、システム制御部１７の制御下、情報再生部１１により再生、出力された楽曲データ等を例えば圧縮して、ＨＤ、ＭＤ、ＣＤ−Ｒ／Ｗ、ＤＶＤ−Ｒ／Ｗ、又はカード型記録媒体等の記録媒体に記録すると共に、楽曲特徴量抽出部１３により抽出、出力された楽曲特徴量を当該楽曲データに関連付けて記憶するようになっている。更に、情報記録再生部１４は、システム制御部１７の制御下、上記記録媒体に記録されている楽曲データを再生し情報出力部１２に出力したり、記録された楽曲特徴量を再生しシステム制御部１７に出力するようになっている。例えば、情報記録再生部１４がＨＤに楽曲データを記録するものである場合、当該情報記録再生部１４は、図示しないが、楽曲データを圧縮又は伸長するためのエンコーダ／デコーダ、記録媒体としてのＨＤ、及びＨＤに楽曲データや楽曲特徴量を記録又はＨＤから再生を行うＨＤドライブ等を備えており、当該楽曲データ等の記録、又は当該楽曲データ等の再生、出力等を行う。なお、ＨＤ以外の記録媒体から楽曲データ等を再生及び記録するための構成及び機能については公知の技術であるので、詳しい説明は省略する。
【００２６】
操作部１５は、ユーザからの各種指示（例えば、楽曲データの再生、記録、及び消去等の指示）を受け付けるための複数の操作ボタンを備えており、ユーザにより操作ボタンが押下された場合に、その操作ボタンに応じた指示信号（例えば、再生指示信号、記録指示信号、消去指示信号等）をシステム制御部１７に出力するようになっている。
【００２７】
表示部１６は、楽曲データに関する情報を表示するための表示パネルを備えており、システム制御部１７の制御下、楽曲データの識別情報、タイトル、及び演奏時間や、記録媒体に記録されている楽曲データの楽曲リストを表示するようになっている。
【００２８】
システム制御部１７は、演算機能を有するＣＰＵ、作業用ＲＡＭ、及び各種処理プログラム（楽曲同一性判別処理プログラムを含む：この楽曲同一性判別処理プログラムは、例えばインターネット上の所定のサーバからダウンロードされるようにしてもよいし、フレキシブルディスク（例えば、ＣＤ−ＲＯＭ等）の記録媒体に記録されて当該記録媒体のドライブを介して読み込まれるようにしてもよい。）やデータを記憶するＲＯＭ等を備えている。
【００２９】
そして、ＣＰＵがＲＯＭに記憶されたプログラムを実行することにより、コンピュータとしてのシステム制御部１７は、情報再生記録装置１全体を統括制御するとともに、本願の第１楽曲特徴量取得手段、第２楽曲特徴量取得手段、楽曲同一性有無判別手段、楽曲記録手段、楽曲特徴量記憶手段、楽曲同一性情報記憶手段、楽曲記録判別手段、楽曲スキップ手段、及び楽曲消去手段等として機能するようになっている（楽曲記録手段、楽曲特徴量記憶手段、楽曲同一性情報記憶手段、及び楽曲消去手段については、情報記録再生部１４と協働して機能）。
【００３０】
具体的には、システム制御部１７は、操作部１５からの再生指示信号に従い、上記楽曲データを再生させるように情報再生部１１又は情報記録再生部１４を制御したり、操作部１５からの記録指示信号に従い、上記楽曲データを記録させるように楽曲記録手段として、情報記録再生部１４を制御したり、操作部１５からの消去指示信号に従い、記録媒体に記録されている楽曲データ等を消去させるように楽曲消去手段として、情報記録再生部１４を制御する。また、システム制御部１７は、操作部１５からの表示指示信号に従い、楽曲データに関する情報を表示部１６に表示させたり、操作部１５からの選択指示信号に従い、再生、記録、又は消去すべき楽曲データを選択する。
【００３１】
更に、システム制御部１７は、第１楽曲特徴量取得手段として、上記再生された楽曲データ（以下の説明において、情報再生部１１により再生された楽曲データを「第１楽曲データ」という）の特徴を示す楽曲特徴量（以下、「第１楽曲特徴量」という）を楽曲特徴量抽出部１３から取得し、第２楽曲特徴量取得手段として、記録媒体としての例えばＨＤに記録されている楽曲データ（以下の説明において、情報記録再生部１４に既に記録されている楽曲データを「第２楽曲データ」という）の特徴を示す楽曲特徴量（以下、「第２楽曲特徴量」という）を情報記録再生部１４から取得する（例えばＨＤから読み出されて取得される）。なお、複数の楽曲の楽曲特徴量が例えばＨＤに記憶されている場合には、それら全ての楽曲特徴量が取得される。
【００３２】
また、システム制御部１７は、情報再生部１１から再生された第１楽曲データが情報記録再生部１４により例えばＨＤに記録される際に、楽曲特徴量記憶手段として、当該第１楽曲データに上記第１楽曲特徴量を関連付けてＨＤに記憶させる（つまり、このように記憶された第１楽曲特徴量が、後に例えばＨＤから第２楽曲特徴量として読み出されることになる）。
【００３３】
そして、システム制御部１７は、楽曲同一性有無判別手段として、第１楽曲特徴量と第２楽曲特徴量を比較し、第１楽曲データと第２楽曲データとの同一性の有無を判別する。より具体的には、システム制御部１７は、例えば当該第１楽曲特徴量及び第２楽曲特徴量を正規化した上で、楽曲の演奏時間、キーの変化位置（又は変化パターン）、コードの変化位置（又は変化パターン）、ビートの変化位置（又は変化パターン）、及びビートの最大値（又は、最小値、平均値）等の全部又は一部を比較し、当該比較した楽曲特徴量が一致（完全一致ではなく、誤差等を考慮してプラスマイナスの所定の幅を持った一致を意味）するか否かによって同一性の有無を判別する。こうして、システム制御部１７は、比較した楽曲特徴量が一致する場合には、同一性が有と判別し、楽曲同一性情報記憶手段として、上記第１楽曲データと上記第２楽曲データとが同一性が有ることを示す楽曲同一性情報を情報記録再生部１４により例えばＨＤに記憶させる。例えばＨＤに記録されている同一楽曲のマーキングリストに楽曲同一性情報が登録される。こうして記憶された楽曲同一性情報は、その後、楽曲データを再生する際や消去する際等に、参照されることになる（これについての詳しい説明は後述する）。
【００３４】
なお、システム制御部１７は、上記楽曲特徴量の同一性が有と判別した場合には、同一楽曲の重複記録を避けるために、例えばＨＤに記録された第１楽曲データを当該ＨＤから消去するように構成してもよい。
【００３５】
次に、図２乃至図５等を参照して、情報再生記録装置１の動作例を説明する。図２は、楽曲データが記録される際のシステム制御部１７の処理を示すフローチャートであり、図３は、図２に示すステップＳ６における楽曲同一性判断処理の詳細な一例を示すフローチャートであり、図４は、楽曲データが再生される際のシステム制御部１７の処理を示すフローチャートであり、図５は、楽曲データが消去される際のシステム制御部１７の処理を示すフローチャートである。
【００３６】
（楽曲データの記録）
先ず、図２を参照して楽曲データが記録される際の情報再生記録装置１の動作例を、システム制御部１７の処理を主体として説明する。
【００３７】
ユーザが、操作部１５を操作して情報再生部１１における例えばＣＤに記録された第１楽曲データを情報記録再生部１４におけるＨＤに記録するための指示（ユーザが所望の楽曲データを指定。１曲でもよいし複数曲でもよい）を行うと、システム制御部１７は、その指示信号に応じて、情報再生部１１に対して例えばＣＤに記録された第１楽曲データの再生指令を与える（ステップＳ１）。続いて、システム制御部１７は、楽曲特徴量抽出部１３に対して情報再生部１１により再生される第１楽曲データの第１楽曲特徴量の抽出指令を与える（ステップＳ２）。続いて、システム制御部１７は、情報記録再生部１４に対して情報再生部１１により再生される第１楽曲データの記録指令、及び楽曲特徴量抽出部１３により抽出される第１楽曲特徴量の記憶指令を与える（ステップＳ３）。
【００３８】
これにより、情報再生部１１は、システム制御部１７からの制御下、例えばＣＤに記録された第１楽曲データを再生して、情報出力部１２、楽曲特徴量抽出部１３、及び情報記録再生部１４に出力する。そして、楽曲特徴量抽出部１３は、システム制御部１７からの制御下、情報再生部１１からの第１楽曲データを入力し、当該第１楽曲データから、上述したように第１楽曲特徴量を抽出して情報記録再生部１４及びシステム制御部１７に出力する。また、情報記録再生部１４は、システム制御部１７からの制御下、情報再生部１１からの第１楽曲データを入力し、当該第１楽曲データを圧縮して例えばＨＤに記録すると共に、楽曲特徴量抽出部１３からの第１楽曲特徴量を入力し、上記第１楽曲データに関連付けて当該第１楽曲特徴量をＨＤに記憶する。このとき、システム制御部１７は、例えばＨＤに記録される楽曲データに対し固有の識別情報を付与し、当該識別情報、当該楽曲データのタイトル（例えば、ＣＤ（例えばＣＤテキスト）から自動取得、或いは、後からユーザが登録してもよい）、当該楽曲データの演奏時間、及び楽曲データの記録領域等の情報を楽曲リスト（演奏リスト）に登録する。
【００３９】
次いで、システム制御部１７は、楽曲特徴量抽出部１３から出力された第１楽曲データを取得する（ステップＳ４）。続いて、システム制御部１７は、楽曲リストを参照して、情報記録再生部１４における既にＨＤに記録されている第２楽曲データ（上記にて記録されたばかりの第１楽曲データを除く）に関連付けられて記憶されている第２楽曲特徴量を情報記録再生部１４から取得する（ステップＳ５）。
【００４０】
次いで、システム制御部１７は、上述したように、楽曲同一性判断処理を行う（ステップＳ６）。当該楽曲同一性判断処理においては、図３に示すように、システム制御部１７により、例えば当該第１楽曲特徴量及び第２楽曲特徴量の正規化処理が実行される（ステップＳ６１）。この正規化処理においては、音量のレベルを揃えるために、音量サンプルの最大値を元に各音量サンプルが最大値の何％になるかの計算し直される。つまり、音量を補正した上で、以降の楽曲同一性の判別を行うことになる。これにより、音量の大小があっても、楽曲同一性の判別の精度が音量に依存しないことになる。
【００４１】
次いで、第１楽曲と第２楽曲の演奏時間が同じであるか（一致するか）否かが判別され（ステップＳ６２）、同じでない場合には（ステップＳ６２：Ｎ）、楽曲同一性無しと判断される（ステップＳ６８）。なお、楽曲の演奏時間が同じでない場合、楽曲の全部と楽曲の一部（ＣＭのサビ）が比較される場合もあるので、かかる演奏時間は絶対条件ではなく、かかる処理をスキップ（当該処理を行わずに次ぎの処理に移行）させても良いし、ユーザによる選択に委ねてもよい。
【００４２】
一方、演奏時間が同じである場合には（ステップＳ６２：Ｙ）、続いて、第１楽曲と第２楽曲のキー変化位置が同じであるか（一致するか）否かが判別される（ステップＳ６３）。
【００４３】
例えば、キーの内容が変化時間とともに時系列として記録されている場合には、変化前のキー内容と変化後のキー内容が一致していれば、多少変化時間がずれていてもキー変化位置が同じであるとして判断される。一方、変化前後のキー内容が不一致の場合は異なる曲と判断される。また、キー変化（遷移）をいくつかまとめてパターンとして扱い、パターン単位で比較しても良い。例えば、キーがＡ〜Ｂ〜Ｃ〜・・・と変化する場合にＡＢＣをパターン１とし、パターン１の出現位置や回数をカウントしても良い。この事は、以下のコードやビート変化位置についての処理においても同様である。
【００４４】
そして、キー変化位置が同じでない場合には（ステップＳ６３：Ｎ）、楽曲同一性無しと判断される（ステップＳ６８）。
【００４５】
一方、キー変化位置が同じである場合には（ステップＳ６３：Ｙ）、続いて、第１楽曲と第２楽曲のコード変化位置が同じであるか（一致するか）否かが判別される（ステップＳ６４）。コード変化位置が同じでない場合には（ステップＳ６４：Ｎ）、楽曲同一性無しと判断される（ステップＳ６８）。
【００４６】
一方、コード変化位置が同じである場合には（ステップＳ６４：Ｙ）、続いて、第１楽曲と第２楽曲のビート変化位置が同じであるか（一致するか）否かが判別される（ステップＳ６５）。ビート変化位置が同じでない場合には（ステップＳ６５：Ｎ）、楽曲同一性無しと判断される（ステップＳ６８）。
【００４７】
一方、ビート変化位置が同じである場合には（ステップＳ６５：Ｙ）、続いて、第１楽曲と第２楽曲のビートの最大値、最小値、及び平均値の少なくとも何れか１つが同じであるか（一致するか）否かが判別される（ステップＳ６６）。なお、ビートの最大値、最小値、及び平均値は、それぞれ計算され、ある程度の誤差が許容され、一致／不一致が判断される。
【００４８】
最大値、最小値、及び平均値の少なくとも何れか１つが同じでない場合には（ステップＳ６６：Ｎ）、楽曲同一性無しと判断される（ステップＳ６８）。
【００４９】
一方、最大値、最小値、及び平均値の少なくとも何れか１つが同じである場合には（ステップＳ６６：Ｙ）、楽曲同一性有りと判断される（ステップＳ６７）。
【００５０】
こうして、楽曲同一性判断処理が終了すると、図２の処理に戻る。なお、上記処理はあくまで一例であり、この他の処理（例えば、ステップＳ６３〜Ｓ６６の処理のうち、何れか１又は複数の処理をスキップさせても良い。また、上記ステップＳ６２〜Ｓ６６の各ステップにおける一致／不一致を点数化し、例えば、楽曲の演奏時間が一致すれば２０点、一致しなくとも１０点などと点数付けして、総合点数で判断してもよい。
【００５１】
図２の処理に戻り、システム制御部１７は、上記楽曲同一性判断処理の結果に基づき、第１楽曲データと第２楽曲データとの同一性の有無を判別し（ステップＳ７）、同一性が有る場合（ステップＳ７：Ｙ）には、上記第１楽曲データと上記第２楽曲データとが同一性が有ることを示す楽曲同一性情報（例えば、双方の楽曲データの識別情報）を同一楽曲のマーキングリストに登録し（ステップＳ８）、これを情報記録再生部１４により例えばＨＤに記憶させ、ステップＳ１０に移行する。
【００５２】
一方、システム制御部１７は、第１楽曲データと第２楽曲データとが同一性が無い場合には（ステップＳ７：Ｎ）、例えばＨＤに記録されている全ての第２楽曲データの第２楽曲特徴量についての上記判別が行われたか否かを判別（ＨＤに複数の第２楽曲データが記録されている場合には、それらの全ての第２楽曲特徴量と第１楽曲特徴量を比較する趣旨）し（ステップＳ９）、全ての第２楽曲特徴量についての上記判別が行われていない場合には（ステップＳ９：Ｎ）、上記ステップＳ５に戻り上記と同様の処理を行う。一方、全ての第２楽曲特徴量についての上記判別が行われた場合には（ステップＳ９：Ｙ）、ステップＳ１０に移行する。
【００５３】
ステップＳ１０では、ユーザにより指定された全ての楽曲（複数曲が指定されている場合）の再生が終了したか否かを判別し、終了していない場合には（ステップＳ１０：Ｎ）、上記ステップＳ１に戻り上記と同様の処理を繰り返す。一方、ユーザにより指定された全ての楽曲データの再生が終了した場合には（ステップＳ１０：Ｙ）、当該処理を終了する。
【００５４】
このように、例えばＨＤには多くの楽曲データが記録されていくことになるが、後から、既に記録されている楽曲データと同一性のある楽曲データが記録される場合には、同一性が有ることを示すマーキングがなされることになる。
【００５５】
以上説明したように、上記処理によれば、楽曲データの同一性の判断に楽曲データ自体から抽出した楽曲特徴量を使用するために、従来使用されていたネットワーク上のＣＤＤＢ（それに接続するための通信手段）や、ＣＤテキストが不要となり、音源をＣＤに限定しない利用ができると共に、より正確に楽曲データの同一性を判別することができる。
【００５６】
また、楽曲データの同一性が有ると判別された場合には、楽曲同一性情報がマーキングリストに登録されるので、当該マーキングリストを、その後、楽曲データを再生する際や消去する際等に有効に活用することができる。
【００５７】
なお、上記ステップＳ７の処理において上記第１楽曲データと上記第２楽曲データとが同一性が有る場合には、ステップＳ８の処理において上記楽曲同一性情報が同一楽曲のマーキングリストに登録されるように構成したが、上記楽曲同一性情報がマーキングリストに登録される代わりに、上述したようにＨＤに記録された第１楽曲データ及びその第１楽曲特徴量がＨＤから消去されるように構成してもよい。このように構成すれば、限られた記録媒体の記録容量を有効に活用することができる。
【００５８】
また、第１楽曲データの記録は、上記ステップＳ７の処理において上記第１楽曲データと上記第２楽曲データとが同一性が有る場合にのみ、例えばＨＤに記録されるように構成してもよい。
【００５９】
（楽曲データの再生）
先ず、図４を参照して楽曲データが再生される際の情報再生記録装置１の動作例を、システム制御部１７の処理を主体として説明する。
【００６０】
システム制御部１７は、ユーザからの操作部１５を介した楽曲リスト（演奏リスト）の表示指示に従い、情報記録再生部１４における例えばＨＤに記録されている楽曲データ（第２楽曲データ）の楽曲リストを表示部１６に表示させる。例えば、楽曲リストには、図示しないが、情報記録再生部１４における例えばＨＤに記録されている１０曲分の楽曲データに関する情報（例えば、識別情報、タイトル、アーティスト名、演奏時間等）が表示される。
【００６１】
そして、ユーザが、操作部１５を操作して、当該楽曲リストにおける楽曲データの例えば指定（ユーザによる）楽曲からの連続再生、プログラム再生（ユーザが設定した順序で楽曲データを再生）及びランダム再生（ランダムの順序で楽曲データを再生）の何れか一つを指示（ユーザが１曲毎に再生すべき楽曲データを指定してもよい）すると、システム制御部１７は、これに応じ、再生すべき楽曲データを選定する（ステップＳ１１）。
【００６２】
次いで、システム制御部１７は、同一楽曲再生スキップ設定が、ＯＮであるか否かを判別する（ステップＳ１２）。同一曲再生スキップ設定とは、同一性の有る楽曲データの重複再生を防止するための設定であり、ユーザが操作部１５により設定することができるようになっている。
【００６３】
同一曲再生スキップ設定がＯＮでない場合、システム制御部１７は、情報記録再生部１４に対して上記選定された楽曲データの再生（通常再生）指令を与える（ステップＳ１３）。これにより、情報記録再生部１４におけるＨＤに記録されている当該楽曲データ再生され、情報出力部１２から出力されることになる。
【００６４】
一方、同一曲再生スキップ設定がＯＮである場合、システム制御部１７は、楽曲記録判別手段として、上述したマーキングリストを例えばＨＤから情報記録再生部１４を介して読み込み、かかるマーキングリストを参照し楽曲同一性情報に基づいて、上記選定された楽曲データと同一性のある楽曲データが例えばＨＤに記録されているか否かを判別する（ステップＳ１４）。
【００６５】
図６は、マーキングリストの一例を示す概念図である。例えば、図６（Ａ）に示すマーキングリスト例には、５曲の楽曲データの識別情報が示されており、各楽曲データの識別情報に対応付けられて同一性のある楽曲データの識別情報が示されている。例えば、図６（Ａ）の例において、識別情報が「０１０」の楽曲データには、識別情報が「１１２」と「１２３」の楽曲データが同一性のある楽曲データであるとして示されている。また、図６（Ａ）の例において、各楽曲データに対応して再生（演奏）有無及びスキップ有無の情報が示されている。なお、再生（演奏）有無及びスキップ有無については、マーキングリストに登録せず、システム制御部１７がＲＡＭ等に一時記憶しておくようにしてもよい。
【００６６】
そして、上記選定された楽曲データと同一性の有る楽曲データが例えばＨＤに記録されていない、つまり、当該選定された楽曲データの識別情報がマーキングリストに登録されていない場合には（ステップＳ１４：Ｎ）、システム制御部１７は、ステップＳ１３と同様、情報記録再生部１４に対して上記選定された楽曲データの再生指令を与える（ステップＳ１５）。
【００６７】
一方、システム制御部１７は、上記選定された楽曲データと同一性の有る楽曲データが例えばＨＤに記録されている、つまり、当該選定された楽曲データの識別情報がマーキングリストに登録されている場合には（ステップＳ１４：Ｙ）、上記選定された楽曲データと同一性の有る楽曲データが既に再生（演奏）されたか否かを判別する（ステップＳ１６）。
【００６８】
例えば、図６（Ａ）の例において、上記選択された楽曲データの識別情報が「０１０」であるとした場合、当該楽曲データと同一性の有る楽曲データ（識別情報が「１１２」と「１２３」）は、共に再生「無」であるので、同一性の有る楽曲データが未だ再生（演奏）されていないと判別され（ステップＳ１６：Ｎ）、ステップＳ１７へ移行される。
【００６９】
一方、例えば、図６（Ｂ）の例において、上記選択された楽曲データの識別情報が「０１０」であるとした場合、当該楽曲データと同一性の有る楽曲データ（識別情報が「１１２」）は、再生「有」であるので、同一性の有る楽曲データが既に再生（演奏）されたと判別され（ステップＳ１６：Ｙ）、ステップＳ１８へ移行される。
【００７０】
ステップＳ１７では、システム制御部１７は、上記選定された楽曲データの再生有（演奏済）設定（例えばマーキングリストに、当該楽曲データの再生「有」を登録）を行い、ステップＳ１３と同様、情報記録再生部１４に対して上記選定された楽曲データの再生指令を与える。
【００７１】
一方、ステップＳ１８では、システム制御部１７は、楽曲スキップ手段として、上記選定された楽曲データのスキップ有設定（例えばマーキングリストに、当該楽曲データのスキップ「有」を登録）を行い、当該楽曲データをスキップさせる（情報記録再生部１４に対して当該楽曲データのスキップ指令を与える）。続いて、システム制御部１７は、上記選定された楽曲データと同一性の有る楽曲データが全てスキップ若しくは再生されたか否かを判別する（ステップＳ１９）。
【００７２】
例えば、図６（Ｃ）の例において、上記選択された楽曲データの識別情報が「０１０」であるとした場合、当該楽曲データと同一性の有る楽曲データ（識別情報が「１２３」）は、再生「無」かつスキップ「無」であるので、上記選定された楽曲データと同一性の有る楽曲データが全てスキップ若しくは再生されていないと判別され（ステップＳ１９：Ｎ）、この場合、直ちにステップＳ１１に戻る。そして、ステップＳ１１では、次に再生すべき楽曲データが選定され、ステップＳ１２の以降の処理が繰り返される。
【００７３】
一方、図６（Ｄ）の例において、上記選択された楽曲データの識別情報が「０１０」であるとした場合、当該楽曲データと同一性の有る楽曲データ（識別情報が「１１２」と「１２３」）は、再生「有」とスキップ「有」であるので、上記選定された楽曲データと同一性の有る楽曲データが全てスキップ若しくは再生されたと判別され（ステップＳ１９：Ｙ）、この場合、上記選定された楽曲データ及びこれと同一性の有る楽曲データについての再生有及びスキップ有の設定を全てリセット（ステップＳ２０）し（例えばマーキングリストにおける、当該楽曲データの再生「有」を「無」に、スキップ「有」を「無」に変更）、ステップＳ１１に戻る。つまり、上記選定された楽曲データと同一性の有る楽曲データが、全て選定されたと見なされ、次の巡に備えて上記設定をクリアすることになる。
【００７４】
以上説明したように、上記処理によれば、例えばＨＤに同一性の有る複数の楽曲データが記録されている場合（例えば、ユーザが、同じアーティストのシングルＣＤ、アルバムＣＤ、及びベスト版ＣＤから楽曲データをＨＤに記録することにより、同一の楽曲データが記録されている場合等）にも、楽曲リストにおける楽曲データの再生が一巡する間に、既に再生された楽曲データと同一性の有る楽曲データの再生が自動的にスキップされるので、ユーザが同一の楽曲を重複して聴くことを防止することができる。
【００７５】
なお、上記楽曲データの再生処理とは別の例として、例えば、ユーザが、操作部１５を操作して、当該楽曲リストにおける楽曲データの例えば指定楽曲からの連続再生、プログラム再生及びランダム再生の何れか一つを指示した場合に、システム制御部１７が、最初に再生すべき楽曲データを選定した後、上述したマーキングリストを参照し楽曲同一性情報に基づいて、上記選定された楽曲データと同一性の有る楽曲データが例えばＨＤに記録されているか否かを判別する。そして、同一性の有る楽曲データが記録されている場合に、システム制御部１７が、それらの同一性の有る楽曲データのうち、予め設定された選定条件に従って最適な楽曲データを選定して、その楽曲データを再生させるように制御する構成としてもよい。かかる選定条件として、例えば、記録日時が現在に近い（新しい）楽曲データ、演奏時間が最も長い（つまり、最初から最後まで完全に記録されている）楽曲データ、又は最も音質の良い音源（つまり、楽曲データが元々記録されていた記録媒体）に記録されていた楽曲データが最適な楽曲データとなるように構成する。このように構成すれば、同一性がある楽曲データのうち最適な楽曲データを再生することができ、ユーザが同一の楽曲を重複して聴くことを防止することができる。
【００７６】
（楽曲データの消去）
次に、図５を参照して楽曲データが消去される際の情報再生記録装置１の動作例を、システム制御部１７の処理を主体として説明する。
【００７７】
システム制御部１７は、ユーザからの操作部１５を介した楽曲リスト（演奏リスト）の表示指示に従い、情報記録再生部１４における例えばＨＤに記録されている楽曲データ（第２楽曲データ）の楽曲リストを表示部１６に表示させる（楽曲データの再生の場合と同様）。
【００７８】
そして、ユーザが、操作部１５を操作して、当該楽曲リストにおける楽曲データを消去するための楽曲消去リストの表示形式を選択すると、システム制御部１７は、かかる表示形式の選択を受け付け（ステップＳ２１）、選択された表示形式が同一楽曲消去リストであるか否かを判別する（ステップＳ２２）。
【００７９】
選択された表示形式が同一楽曲消去リストでない場合には（ステップＳ２２：Ｎ）、システム制御部１７は、例えば、ＨＤに記録されている楽曲データに関する情報をタイトル順、記録日時順、再生頻度順、又は演奏時間順等に並べた通常の楽曲消去リストを表示部１６に表示させる（ステップＳ２３）。
【００８０】
一方、選択された表示形式が同一楽曲消去リストである場合には（ステップＳ２２：Ｙ）、システム制御部１７は、上述したマーキングリストを例えばＨＤから情報記録再生部１４を介して読み込み、かかるマーキングリストを参照し、楽曲データに関する情報が登録されているか否か、つまり、同一性のある複数の楽曲データが例えばＨＤに記録されているか否かを判別する（ステップＳ２４）。マーキングリストに楽曲データに関する情報が登録されていない場合には（ステップＳ２４：Ｎ）、システム制御部１７は、その旨を表示部１６に表示させ、ステップＳ２３に移行する。
【００８１】
一方、マーキングリストに楽曲データに関する情報が登録されている場合には（ステップＳ２４：Ｙ）、システム制御部１７は、かかるマーキングリストを参照し楽曲同一性情報に基づいて、同一楽曲消去リストを表示部１６に表示させる（ステップＳ２５）。つまり、同一楽曲消去リストによって、同一性の有る複数の楽曲データに関する情報（楽曲データを示す情報）が選択可能にユーザに提示される。
【００８２】
図７は、表示部１６に表示された同一楽曲消去リストの一例を示す図である。図７に示す同一楽曲消去リスト例には、マーキングリストに登録された楽曲データの識別情報のみが表示されており、また、同一性の有る複数の楽曲データのグループ毎に、それらの識別情報がまとまって表示されている。
【００８３】
そして、ユーザが操作部１５を操作して、同一楽曲消去リストにおける楽曲データのうち、消去したい楽曲データに関する情報、ここでは、識別情報を選択すると、システム制御部１７は、これを認識し（ステップＳ２６：Ｙ）、情報記録再生部１４を制御して、ユーザにより選択された楽曲データの識別情報に対応する楽曲データを例えばＨＤから消去させる（ステップＳ２７）。
【００８４】
以上説明したように、上記処理によれば、限られた記録媒体の記録容量を有効に活用することができ、効果的に空き容量を増やすことができる。
【００８５】
また、例えばＨＤの空き容量が少なくなってきた場合等に、ユーザが不要な楽曲（例えば、あまり聞かない楽曲、重複記録された楽曲、飽きてきまった楽曲等）を消去する際、同一性の有る楽曲データに関する情報を同一楽曲消去リストに表示するので、ユーザによる楽曲データ消去の意思決定及び選択操作をサポートすることができる。従って、また、同一楽曲消去リストには、同一性の有る複数の楽曲データのグループ毎に、それらの楽曲データに関する情報がまとまって表示されるので、ユーザは、消去すべき楽曲データを効率良く選択することができる。
【００８６】
なお、同一楽曲消去リストにおける同一性の有る複数の楽曲データのグループ内で、楽曲データに関する情報を例えば記録日時順又は演奏時間順等に並べて表示するように構成してもよい。このように構成すれば、同一性の有る複数の楽曲データのうち、ユーザが消去したい楽曲データの意思決定をサポートすることができる。例えば、ユーザが、記録日時が最も過去の楽曲データを消去したいと考えている場合や、演奏時間が最も短い（つまり、最初から最後まで完全に記録されていない）楽曲データを消去したいと考えている場合に、当該ユーザは、消去したい楽曲データを迅速に選択することができる。
【００８７】
また、同一楽曲消去リストにおいて、楽曲データに関する情報として各楽曲データの音源（つまり、楽曲データが元々記録されていた記録媒体）の種類（磁気テープ、ＣＤ、又はＭＤであるか）を表示するように構成してもよい。このように構成しても、同一性の有る複数の楽曲データのうち、ユーザが消去したい楽曲データの意思決定をサポートすることができる。例えば、ユーザは、最も音質の悪い記録媒体から記録した楽曲データを消去したい楽曲データとして迅速に選択することができる。
【００８８】
また、例えばＨＤの空き容量が少なくなってきた場合等に、自動的に上記楽曲データ消去処理を起動して、ユーザに楽曲データの消去処理を促すように構成してもよい。
【００８９】
以上説明したように、上記実施形態によれば、楽曲データの同一性の判断に楽曲データ自体から抽出した楽曲特徴量を使用するために、従来使用されていたネットワーク上のＣＤＤＢや、ＣＤテキストが不要となり、音源をＣＤに限定しない利用ができると共に、より正確に楽曲データの同一性を判別することができる。従って、例えばＨＤに同一性の有る複数の楽曲データが記録されている場合にも、既に再生された楽曲データと同一性の有る楽曲データの再生を自動的にスキップすることができるので、ユーザが同一の楽曲を重複して聴くことを防止することができる。また、例えばＨＤに同一性の有る複数の楽曲データが記録されている場合にも、同一性の有る何れかの楽曲データを迅速に消去することができるので、限られた記録媒体の記録容量を有効に活用することができ、効果的に空き容量を増やすことができる。
【００９０】
なお、上記実施形態においては、情報再生部１１が記録媒体に記録された楽曲データを再生するように構成したが、再生されるべき楽曲データの音源は特に限定されるものではなく、上記情報再生部１１として、上記にて説明した他にも、例えば、チューナを適用してもよい。この場合、当該チューナは、ラジオやテレビ等の放送局から放送された電波をアンテナを介して受信、ＲＦ信号を検出し、システム制御部１７から指示された位相ロック周波数に対して周波数を同調させることにより上記ＲＦ信号から中間周波信号に変換し、それを増幅、復調等の処理を行って楽曲データを再生する。再生された楽曲データは、上述したように、情報出力部１２、楽曲特徴量抽出部１３、及び情報記録再生部１４に出力することになる。
【００９１】
また、再生されるべき楽曲データの音源は、特に情報再生記録装置１内に限られず、例えばインターネット等のネットワークに接続されたサーバにおける記録媒体であってもよい。この場合、情報再生記録装置１には、上記ネットワークに接続されたサーバに接続するための通信装置（システム制御部１７に接続）が備えられ、当該サーバが記録媒体に記録された楽曲データを再生し、再生された楽曲データをネットワークを介して情報再生記録装置１に配信（例えば、ストリーミング配信、オンデマンド配信等）し、配信された楽曲データを通信装置が受信し、システム制御部１７の制御の下、情報出力部１２、楽曲特徴量抽出部１３、及び情報記録再生部１４に出力するように構成してもよい。
【００９２】
上記実施形態においては、本願の楽曲同一性判別装置を情報再生記録装置に対して適用したが、これに限定されるものではなく、例えば情報再生装置と情報記録装置とが専用ケーブルで接続された情報再生記録システムにおいて、情報再生装置と情報記録装置の何れか一方に対して適用可能である。
【図面の簡単な説明】
【００９３】
【図１】本実施形態における情報再生記録装置の概要ブロック例を示す図である。
【図２】楽曲データが記録される際のシステム制御部１７の処理を示すフローチャートである。
【図３】楽曲同一性判断処理の詳細な一例を示すフローチャートである。
【図４】楽曲データが再生される際のシステム制御部１７の処理を示すフローチャートである。
【図５】楽曲データが消去される際のシステム制御部１７の処理を示すフローチャートである。
【図６】マーキングリストの一例を示す概念図である。
【図７】表示部１６に表示された同一楽曲消去リストの一例を示す図である。
【符号の説明】
【００９４】
１  情報再生記録装置
１１  情報再生部
１２  情報出力部
１３  楽曲特徴量抽出部
１４  情報記録再生部
１５  操作部
１６  表示部
１７  システム制御部
【図１】
2007304119.tif 000003
【図２】
2007304119.tif 000004
【図３】
2007304119.tif 000005
【図４】
2007304119.tif 000006
【図５】
2007304119.tif 000007
【図６】
2007304119.tif 000008
【図７】
2007304119.tif 000009